(57)【特許請求の範囲】
【請求項１】
案内穴を有するケース部材と、このケース部材の案内穴にはめ込まれて軸方向に移動する外部操作部材と、前記案内穴の内壁もしくは外部操作部材のいずれか一方に取り付けられ、前記案内穴の内壁と外部操作部材の間で弾性変形して各部材間を封止する第１封止部材とを備えた外部操作装置において、
前記案内穴の内壁もしくは外部操作部材のいずれか一方に設けられている溝部と、
前記案内穴の内壁もしくは外部操作部材のいずれか一方であって、前記溝部が設けられている部材と異なる部材に取り付けられている第２封止部材とを備え、
前記第２封止部材が、前記溝部の無い部分にあるときは、前記案内穴を有するケース部材と外部操作部材の間で弾性変形し、前記第２封止部材が、前記外部操作部材の軸方向の移動により前記溝部の有る部分にきたときは、前記溝部内で復元することを特徴とする外部操作装置。
【請求項２】
案内穴を有するケース部材と、このケース部材の案内穴にはめ込まれて軸方向に移動する外部操作部材と、前記案内穴の内壁もしくは外部操作部材のいずれか一方に取り付けられ、前記案内穴を有するケース部材と外部操作部材の間で弾性変形して各部材間を封止する第１封止部材とを備えた外部操作装置において、
前記案内穴の内壁もしくは外部操作部材のいずれか一方に設けられている第１溝部および第２溝部と、
前記案内穴の内壁もしくは外部操作部材のいずれか一方であって、前記第１溝部および第２溝部が設けられている部材と異なる部材に取り付けられている第２封止部材とを備え、
前記第１封止部材が、前記第１溝部の有る部分で復元し、前記第２封止部材が前記第２溝部の無い部分にあり、前記案内穴を有するケース部材と外部操作部材の間で弾性変形し、
前記外部操作部材の軸方向の移動により、前記第１封止部材が前記第１溝部の無い部分にあり、前記案内穴を有するケース部材と外部操作部材の間で弾性変形し、前記第２封止部材が、前記第２溝部の有る部分にきたときは、前記第２溝部内で復元することを特徴とする外部操作装置。
【請求項３】
前記外部操作部材を押圧する弾性部材を備え、前記弾性部材の押圧方向とは逆方向の外力又は前記外力の解放による前記弾性部材の復元力を前記外部操作部材に掛けることにより、前記外部操作部材を移動させる請求項１、２に記載の外部操作装置。
【請求項４】
前記弾性部材の押圧方向は、前記第２封止部材が前記第２溝部から離れる方向である請求項３に記載の外部操作装置。
【請求項５】
前記第１封止部材と第２封止部材との間に潤滑材が封止されている請求項１〜４のいずれかに記載の外部操作装置。
【請求項６】
請求項１〜５のいずれかに記載の外部操作装置を有することを特徴とする時計。
【請求項７】
前記案内穴を有するケース部材は、パイプ又は孔が設けられている時計の胴であり、前記外部操作部材は時計のボタン、りゅうず又はガラスである請求項６に記載の外部操作装置を有する時計。
【請求項８】
請求項１〜５のいずれかに記載の外部操作装置を有することを特徴とする電子機器。
【発明の詳細な説明】
【０００１】
【発明の属する技術分野】
本発明は、押圧動作等により例えばスイッチのオン・オフを切り替える外部操作装置並びに外部操作装置を有する時計及び外部操作装置を有する電子機器関するものである。
【０００２】
【従来の技術】
外部操作装置を有する時計あるいは電子機器の一例として一般的なボタン装置を有する腕時計を例にして説明する。腕時計には、例えばストップウォッチ機能を制御する制御手段や日付・曜日を変更する変更手段等が備えられているが、これらのスイッチのオン・オフは通常は胴の側面に配設されているボタン装置により切り替えられる。
【０００３】
図８は、従来のボタン装置を有する時計の一例の部分断面側面図である。
【０００４】
このボタン装置１００は、胴１の側面に設けられた孔内に挿入・固定されているパイプ１１０及びこのパイプ１１０内に挿入されているボタン１２０を備えている。
【０００５】
パイプ１１０は、孔の内径と略同径の外径を有する小径部分１１１と、この小径部分１１１の外径より大きい外径を有する大径部分１１２とが、一体成形された構成となっている。
【０００６】
このような構成のパイプ１１０は、胴１の外側から小径部分１１１が孔内に挿入され、小径部分１１１と大径部分１１２の段差部が胴１の側面に密着され、大径部分１１２が外部に突き出された状態で、小径部分１１１と大径部分１１２の段差部付近と孔の内周面が接着あるいはろう付け等により固定されている。
【０００７】
ボタン１２０は、パイプ１１０の小径部分１１１の内径よりわずかに小さい外径を有する軸部１２１を有し、この軸部１２１の一端部には、胴１内に配設されている上記スイッチに接触する接触部１２２が一体成形され、軸部１２１の他端部には、パイプ１１０の大径部分１１２の内径よりわずかに小さい外径を有する頭部１２３が一体成形された構成となっている。
【０００８】
軸部１２１には、パイプ１１０とボタン１２０の間の防水を行うパッキン１２４が、軸部１２１に設けられている溝内にはめ込まれている。また、パイプ１１０の小径部分１１１と大径部分１１２の段差部の内側端面と、頭部１２３の内側端面との間であって軸部１２１の外周面には、圧縮ばね１２５が配置されている。さらに、軸部１２１と接触部１２２との間に設けられている溝内には、パイプ１１０からボタン１２０が抜けるのを防止するためのＥリング１２６がはめ込まれている。
【０００９】
このような構成のボタン１２０は、胴１の外側から接触部１２２側を先にして軸部１２１がパイプ１１０の小径部分１１１内に挿入され、頭部１２３がパイプ１１０の大径部分１１２内に挿入される。そして、接触部１２２がパイプ１１０の小径部分１１１から胴１の内側に突き出され、Ｅリング１２６が接触部１２２と軸部１２１の間に設けられている溝内にはめ込まれている。
【００１０】
以上のような構成のボタン装置１００を動作させる場合は、使用者は、胴１の外側からボタン１２０の頭部１２３に軸方向の外力（例えば指による押圧）を加え、圧縮ばね１２５を圧縮させると共にボタン１２０の軸部１２１をパイプ１１０の小径部分１１１の内周面に沿って所定距離移動させる。そして、ボタン１２０の接触部１２２を上記スイッチに接触させてスイッチのオン・オフを切り替える。
【００１１】
スイッチのオン・オフを切り替えたら、上記外力を外して圧縮ばね１２５をその復元力により伸長させると共にボタン１２０の軸部１２１をパイプ１１０の小径部分１１１の内周面に沿って所定距離移動させる。そして、Ｅリング１２６をパイプ１１０の小径部分１１１の端面に接触させてボタン１２０の軸部１２１の移動を規制し、元の状態に戻す。
【００１２】
ここで、使用者がスイッチのオン・オフの切り替えが確実に行われたか否かを確認できる機構として、クリック機構がある。このクリック機構とは、使用者がボタン装置１００のボタン１２０を押したときに、スイッチのオン・オフが切り替えられると略同時に使用者にクリック感を与える機構である。上述したボタン装置１００を有する時計では、図９に示すようなクリック機構１３０が、胴１に内蔵されているムーブメントに取り付けられている。
【００１３】
このクリック機構１３０は、Ｕ字形状をした板ばね部１３１、回転ピン１３２及びピン１３３を備えている。板ばね部１３１は、一端がムーブメントに固定されている回転ピン１３２に回転可能に取り付けられ、他端がムーブメントに固定されているピン１３３に係止されている。板ばね部１３１の他端付近の外周面には、ピン１３３がはまる２個所の凹部１３１ａ、１３１ｂが凸部１３１ｃを挟んで設けられている。また、板ばね部１３１の中央付近の内周面には、スイッチの役目をする凸部１３１ｄが設けられている。
【００１４】
このような構成において、同図（Ａ）に示すように、ボタン装置１００のボタン１２０の接触部１２２が図示矢印ａ方向に移動して板ばね部１３１の中央付近の外周面に接触し押圧すると、同図（Ｂ）に示すように、板ばね部１３１は回転ピン１３２を中心に回転しながら図示矢印ｂ方向に移動する。すると、ピン１３３の係止位置は、一方の凹部１３１ａから凸部１３１ｃを乗り越えて他方の凹部１３１ｂに移動すると共に、凸部１３１ｄがスイッチに接触し導通することになる。従って、このピン１３３の係止位置の移動時に、使用者はクリック感を得ることができる。
【００１５】
【発明が解決しようとする課題】
上述した従来のボタン装置１００では、クリック機構１３０が別部品となってムーブメントに固定されているので、部品数が多くなると共に、ムーブメントのサイズが大型化するという問題がある。
【００１６】
このようなクリック機構１３０が無くても特に問題が主じる訳ではないが、ボタン装置１００が確実に操作されたか否かが使用者に分りづらくなるという欠点がある。
【００１７】
本発明の目的は、上記課題を解消して、簡易な構成でクリック感を得ることができる外部操作装置、外部操作装置を有する時計及び外部操作装置を有する電子機器を提供することである。
【００１８】
【課題を解決するための手段】
請求項１の発明は、案内穴を有するケース部材と、このケース部材の案内穴にはめ込まれて軸方向に移動する外部操作部材と、前記案内穴の内壁もしくは外部操作部材のいずれか一方に取り付けられ、前記案内穴の内壁と外部操作部材の間で弾性変形して各部材間を封止する第１封止部材とを備えたボタン装置において、前記案内穴の内壁もしくは外部操作部材のいずれか一方に設けられている溝部と、前記案内穴の内壁もしくは外部操作部材のいずれか一方であって、前記溝部が設けられている部材と異なる部材に取り付けられている第２封止部材とを備え、前記第２封止部材が、前記溝部の無い部分にあるときは、前記案内穴を有するケース部材と外部操作部材の間で弾性変形し、前記第２封止部材が、前記外部操作部材の軸方向の移動により前記溝部の有る部分にきたときは、前記溝部内で復元することを特徴とする外部操作装置である。
【００１９】
この請求項１の発明では、外部操作部材の移動のたびに新たに備えられた第２封止部材が溝部に落ちるので、クリック感を出すことができる。
【００２０】
請求項２の発明は、案内穴を有するケース部材と、このケース部材の案内穴にはめ込まれて軸方向に移動する外部操作部材と、前記案内穴の内壁もしくは外部操作部材のいずれか一方に取り付けられ、前記案内穴を有するケース部材と外部操作部材の間で弾性変形して各部材間を封止する第１封止部材とを備えたボタン装置において、前記案内穴の内壁もしくは外部操作部材のいずれか一方に設けられている第１溝部および第２溝部と、前記案内穴の内壁もしくは外部操作部材のいずれか一方であって、前記第１溝部および第２溝部が設けられている部材と異なる部材に取り付けられている第２封止部材とを備え、前記第１封止部材が、前記第１溝部の有る部分で復元し、前記第２封止部材が前記第２溝部の無い部分にあり、前記案内穴を有するケース部材と外部操作部材の間で弾性変形し、前記外部操作部材の軸方向の移動により、前記第１封止部材が前記第１溝部の無い部分にあり、前記案内穴を有するケース部材と外部操作部材の間で弾性変形し、前記第２封止部材が、前記第２溝部の有る部分にきたときは、前記第２溝部内で復元することを特徴とする外部操作装置である。
【００２１】
この請求項２の発明では、第１封止部材が第１溝部により外部操作部材の抜け防止となる。
【００２２】
請求項３の発明は、請求項１、２に記載の構成において、前記外部操作部材を押圧する弾性部材を備え、前記弾性部材の押圧方向とは逆方向の外力又は前記外力の解放による前記弾性部材の復元力を前記外部操作部材に掛けることにより、前記外部操作部材を移動させることを特徴とする外部操作装置である。
【００２３】
この請求項３の発明では、弾性部材により外部操作部材が常に一方向に押されているので、外部操作部材に掛ける逆方向の外力を解放すると、外部操作部材は自動的に一定の位置に復帰することになる。
【００２４】
請求項４の発明は、請求項３に記載の構成において、前記弾性部材の押圧方向は、前記第２封止部材が前記溝部から離れる方向であることを特徴とする外部操作装置である。
【００２５】
この請求項４の発明では、外力により第２部材を移動させたときに、その最終移動位置付近にてクリック感を得ることができる。
【００２６】
請求項５の発明は、請求項１〜４に記載の構成において、前記第１封止部材と第２封止部材との間に潤滑材が封止されていることを特徴とする外部操作装置である。
【００２７】
この請求項５の発明では、潤滑材が封止されているので、外部操作部材の軸方向の移動を長期間安定して維持することができる。
【００２８】
請求項６及び７の発明は、請求項１〜５のいずれかに記載の外部操作装置を有することを特徴とする時計であり、案内穴を有するケース部材は、パイプ又は孔が設けられている時計の胴であり、前記外部操作部材は時計のボタン、りゅうず又はガラスであることを特徴とするボタン装置を有する時計である。
【００２９】
この請求項６及び７の発明では、外部操作部材の移動のたびに新たに備えられた第２封止部材が溝部に落ちるので、クリック感を出すことができ、高級感を与えることができると共に操作の確実性を高めることができる。
【００３０】
請求項８の発明は、請求項１〜５のいずれかに記載の外部操作装置を有することを特徴とする電子機器である。
【００３１】
この請求項８の発明では、外部操作部材の移動のたびに新たに備えられた第２封止部材が溝部に落ちるので、クリック感を出すことができ、操作の確実性を高めることができる。
【００３２】
【発明の実施の形態】
以下、本発明の好適な実施の形態を図面に基づいて説明する。
【００３３】
図１は、本発明の外部操作装置を有する時計の第１の実施形態を示す断面側面図であり、図２は、その外部操作装置付近の詳細を示す断面側面図である。
【００３４】
この時計２００は、腕時計又は携帯用時計であり、概略的には胴２０１、裏ぶた２０２、ガラス２０３、ムーブメント２０４、文字板２０５、外部操作装置の１つであるボタン装置３００等を備えている。
【００３５】
胴２０１の裏側には、裏ぶた２０２が固定されており、胴２０１の表側には、ガラス２０３が固定されている。胴２０１及び裏ぶた２０２の材質としては、例えばステンレスや銅系合金にメッキを施したものや、チタン、チタン合金、プラスチックあるいはアルミニウム合金、さらにはプラチナ、金のむく材等、あるいは超硬合金等が用いられている。ガラス２０３の材質としては、例えばサファイアガラス、ホウケイ酸ガラスあるいはアクリル樹脂等が用いられている。
【００３６】
胴２０１の中にはムーブメント２０４が配設されている。このムーブメント２０４上には文字板２０５が配設されており、さらにムーブメント２０４の軸に対して長針２０５ａや短針２０５ｂが取り付けられている。
【００３７】
ボタン装置３００は、胴２０１の側面に配設されており、例えばストップウォッチ機能を制御する制御手段や日付・曜日を変更する変更手段等のスイッチのオン・オフを切り替えるためのものである。
【００３８】
このボタン装置３００は、案内穴を有するケース部材と、このケース部材の案内穴にはめ込まれて軸方向に移動する外部操作部材と、案内穴の内壁もしくは外部操作部材のいずれか一方に取り付けられ、案内穴を有するケース部材と外部操作部材の間で弾性変形して各部材間を封止する第１封止部材と、案内穴の内壁もしくは外部操作部材のいずれか一方に設けられている溝部と、案内穴の内壁もしくは外部操作部材のいずれか一方であって、溝部が設けられている部材と異なる部材に取り付けられている第２封止部材とを備えている。さらに、外部操作部材を押圧する弾性部材を備えている。
【００３９】
即ち、案内穴を有するケース部材は、案内穴内に外部操作部材が挿入可能なように構成された部材であり、この実施形態では胴２０１の側面に設けられた孔内に挿入・固定されているパイプ３１０である。外部操作部材は、ケース部材の案内穴内に挿入・移動可能なように構成された部材であり、この実施形態ではパイプ３１０内に挿入されているボタン３２０である。
【００４０】
第１封止部材は、案内穴を有するケース部材と外部操作部材の間を封止可能なように構成された部材であり、この実施形態ではボタン３２０の軸部３２１にはめ込まれている第１パッキン３２４である。溝部及び第２封止部材は、ケース部材の案内穴内における外部操作部材の移動により、溝部内に第２封止部材が出入可能なように構成された部材であり、この実施形態ではパイプ３１０の小径部分３１１に設けられているクリック溝３１３及びボタン３２０の軸部３２１にはめ込まれている第２パッキン３２７である。弾性部材は、外部操作部材を押圧可能なように構成された部材であり、この実施形態ではボタン３２０の軸部３２１にはめ込まれている圧縮ばね３２５である。
【００４１】
パイプ３１０は、孔の内径と略同径の外径を有する小径部分３１１と、この小径部分３１１の外径より大きい外径を有する大径部分３１２とが、一体成形された構成となっている。そして、小径部分３１１の開放端寄りの内周面には、断面形状が二等辺三角形のクリック溝３１３が全周にわたって設けられている。
【００４２】
パイプ３１０の材質としては、例えばステンレスや銅系合金にメッキを施したものや、チタン、チタン合金、プラスチックあるいはアルミニウム合金、さらにはプラチナ、金のむく材等、あるいは超硬合金等が用いられている。
【００４３】
このような構成のパイプ３１０は、胴２０１の外側から小径部分３１１が孔内に挿入され、小径部分３１１と大径部分３１２の段差部が胴２０１の側面に密着され、大径部分３１２が外部に突き出された状態で、小径部分３１１と大径部分３１２の段差部付近と孔の内周面が接着あるいはろう付け等により固定されている。
【００４４】
ボタン３２０は、パイプ３１０の小径部分３１１の内径よりわずかに小さい外径を有する軸部３２１を有し、この軸部３２１の一端部には、胴２０１内に配設されている上記スイッチに接触する接触部３２２が一体成形され、軸部３２１の他端部には、パイプ３１０の大径部分３１２の内径よりわずかに小さい外径を有する頭部３２３が一体成形された構成となっている。
【００４５】
軸部３２１には、パイプ３１０とボタン３２０の間の防水を行う第１パッキン３２４が、軸部３２１に設けられている溝内にはめ込まれていると共に、クリック感を得るための第２パッキン３２７が、第１パッキン３２４をはめ込む溝よりも接触部３２２側の軸部３２１に設けられている溝内にはめ込まれている。
【００４６】
また、パイプ３１０の小径部分３１１と大径部分３１２の段差部の内側端面と、頭部３２３の内側端面との間であって軸部３２１の外周面には、圧縮ばね３２５が配置されている。さらに、軸部３２１と接触部３２２との間に設けられている溝内には、パイプ３１０からボタン３２０が抜けるのを防止するためのＥリング３２６がはめ込まれている。
【００４７】
ボタン３２０の材質としては、例えばステンレスや銅系合金にメッキを施したものや、チタン、チタン合金、プラスチックあるいはアルミニウム合金、さらにはプラチナ、金のむく材等、あるいは超硬合金等が用いられている。
【００４８】
第１パッキン３２４及び第２パッキン３２７の材質としては、例えばニトリルゴム（ＮＢＲ）、ブチルゴム（ＩＩＲ）、フッ素ゴム（ＦＫＭ）、エチレンプロピレンゴム（ＥＰＴ）、スチレンブタジエンゴム（ＳＢＲ）、シリコンゴム（Ｓｉ）、クロロプレンゴム（ＣＲ）等が、同じ種類の組み合わせで、あるいは異なる種類の組み合わせで用いられる。尚、一般的には、ニトリルゴム（ＮＢＲ）が用いられ、耐水性が要求されるときは、ブチルゴム（ＩＩＲ）が用いられ、品質が要求されるときは、フッ素ゴム（ＦＫＭ）が用いられる。
【００４９】
このような構成のボタン３２０は、胴２０１の外側から接触部３２２側を先にして軸部３２１がパイプ３１０の小径部分３１１内に挿入され、頭部３２３がパイプ３１０の大径部分３１２内に挿入される。そして、接触部３２２がパイプ３１０の小径部分３１１から胴２０１の内側に突き出され、Ｅリング３２６が接触部３２２と軸部３２１の間に設けられている溝内にはめ込まれている。
【００５０】
以上のような構成のボタン装置３００を動作させる場合について説明する。
【００５１】
ボタン装置３００のボタン３２０は、通常は図２に示すように、圧縮ばね３２５の復元力により胴２０１の外側に付勢されていると共に、Ｅリング３２６がパイプ３１０に接触することにより抜け止めされている。
【００５２】
使用者は、このような状態から図３（Ａ）に示すように、胴２０１の外側からボタン３２０の頭部３２３に軸方向の外力（例えば指による押圧）ｆを加え、圧縮ばね３２５を圧縮させると共にボタン３２０の軸部３２１をパイプ３１０の小径部分３１１の内周面に沿って図示矢印ａ方向に所定距離移動させる。
【００５３】
そして、ボタン３２０の接触部３２２をスイッチ２０６に接触させてスイッチ２０６のオン・オフを切り替えるのであるが、切り替え時に、同図（Ｂ）に示すように、第２パッキン３２７がクリック溝３１３に到達し、弾性変形していた第２パッキン３２７がクリック溝３１３内で復元する。従って、このときに使用者にクリック感を与えることになる。
【００５４】
そして、ボタン３２０の接触部３２２をスイッチ２０６に接触させてスイッチ２０６のオン・オフを切り替えたら、上記外力ｆを外して圧縮ばね３２５をその復元力により伸長させると共にボタン３２０の軸部３２１をパイプ３１０の小径部分３１１の内周面に沿って先程とは逆方向に所定距離移動させる。そして、Ｅリング３２６をパイプ３１０の小径部分３１１の端面に接触させてボタン３２０の軸部３２１の移動を規制し、同図（Ａ）に示す元の状態に戻す。
【００５５】
図４（Ａ）は、本発明の外部操作装置の第２の実施形態を示す断面側面図である。
【００５６】
この外部操作装置であるボタン装置３００ａは、上述した第１の実施形態のボタン装置３００と略同様の構成であり、同一構成部分は同一符号であるが、クリック溝３１３ａの深さが第１の実施形態のクリック溝３１３より浅くなっている点で異なる構成となっている。
【００５７】
このような構成によれば、ボタン３２０の接触部３２２をスイッチ２０６に接触させてスイッチ２０６のオン・オフを切り替えるとき、この切り替え直前に、同図（Ｂ）に示すように、第２パッキン３２７がクリック溝３１３ａに到達し、弾性変形していた第２パッキン３２７がクリック溝３１３ａ内で復元する。本実施形態のクリック溝３１３ａは、第１の実施形態のクリック溝３１３より浅いため、これだけでは確実なクリック感が得られない。そこで、この状態からボタン３２０の接触部３２２をスイッチ２０６に接触させてスイッチ２０６のオン・オフを切り替えるには、ボタン３２０の軸部３２１をパイプ３１０の小径部分３１１の内周面に沿ってさらに移動させる。
【００５８】
このとき、復元した第２パッキン３２７がクリック溝３１３ａに引っ掛かっているので、ボタン３２０の頭部３２３に上記外力ｆのみを掛けていただけでは、ボタン３２０の軸部３２１をパイプ３１０の小径部分３１１の内周面に沿ってさらに移動させることができない。そこで、同図（Ｃ）に示すように、ボタン３２０の頭部３２３に掛ける軸方向の外力ｆをｆ＋αに増加させ、復元した第２パッキン３２７をクリック溝３１３ａから出して弾性変形させる必要がある。従って、このときに使用者にクリック感を与えることになる。
【００５９】
そして、ボタン３２０の接触部３２２をスイッチ２０６に接触させてスイッチ２０６のオン・オフを切り替えたら、上記外力ｆ＋αを外して圧縮ばね３２５をその復元力により伸長させると共にボタン３２０の軸部３２１をパイプ３１０の小径部分３１１の内周面に沿って先程とは逆方向に所定距離移動させる。そして、Ｅリング３２６をパイプ３１０の小径部分３１１の端面に接触させてボタン３２０の軸部３２１の移動を規制し、同図（Ａ）に示す元の状態に戻す。
【００６０】
このため、第１の実施形態のパイプ３１０の小径部分３１１の外周径が細くなり、時計の小型化が図れる。
【００６１】
図５は、本発明の外部操作装置の第３の実施形態を示す断面側面図である。
【００６２】
この外部操作装置であるボタン装置４００は、上述した第１の実施形態のボタン装置３００と略同様の構成であり、同一構成部分は同一符号を付すが、案内穴を有するケース部材もしくは外部操作部材のいずれか一方に第１溝部および第２溝部が設けられている点で異なる構成となっている。即ち、第１溝部および第２溝部は、ケース部材の案内穴内における外部操作部材の移動により、第１溝部内に第１封止部材が出入可能なように、また第２溝部内に第２封止部材が出入可能なように構成された部分であり、この実施形態ではパイプ４１０の小径部分４１１の大径部分３１２寄りの内周面に全周にわたって設けられている抜け防止溝４１４およびパイプ３１０の小径部分３１１に設けられているクリック溝３１３である。
【００６３】
このような構成によれば、スイッチのオン・オフを切り替えた後、外力を外して圧縮ばね３２５をその復元力により伸長させると共にボタン４２０の軸部４２１をパイプ４１０の小径部分４１１の内周面に沿って所定距離移動させたとき、第１パッキン３２４が抜け防止溝４１４に到達し、弾性変形していた第１パッキン３２４が抜け防止溝４１４内で復元して引っ掛かり、ボタン４２０の抜けを防止することができる。このため第１の実施形態のボタン装置３００で用いられていた接触部３２２と軸部３２１の間に設けられている溝内にはめ込まれているＥリング３２６を省略することができ、部品点数を減少させることができる。
【００６４】
また、本発明の外部操作装置のさらに別の実施形態としては、第１パッキン３２４と第２パッキン３２７との間に、第３パッキンを取り付け、第１パッキン３２４と第３パッキンの間であって、ボタン３２０、４２０の軸部３２１、４２１とパイプ３１０、４１０の小径部分３１１、４１１の隙間に例えばシリコン等の潤滑油の溜り部を設けるようにすれば、パイプ３１０、４１０の小径部分３１１、４１１内でのボタン３２０、４２０の軸部３２１、４２１の摺動性能を長期間良好に維持することが可能となる。
【００６５】
また、上述した各実施形態では、パイプ３１０、４１０側にクリック溝３１３を設け、ボタン３２０、４２０側に各パッキン３２４、３２７を配置するようにしたが、パイプ３１０、４１０側に各パッキン３２４、３２７を配置し、ボタン３２０、４２０側にクリック溝３１３を設け、あるいはこれらの組み合わせとしても同様の効果を奏する。さらに、胴２０１に設けた孔内にパイプ３１０、４１０を挿入・固定し、パイプ３１０、４１０内にボタン３２０、４２０を挿入する構成としたが、胴２０１に設けた孔内にクリック溝３１３を直接設け、その孔内にボタン３２０、４２０を直接挿入する構成としても良く、部品点数をさらに減少させることができる。
【００６６】
また、上述した各実施形態におけるクリック溝３１３の断面形状は、二等辺三角形としたが、特にこれに限定されるものではなく、クリック感を与えることができる断面形状であれば良く、例えば図６（Ａ）、（Ｂ）、（Ｃ）に示すような直角三角形、台形、半円形等でも同様の効果を得ることができる。
【００６７】
また、各パッキン３２４、３２７としては、弾性部材で成るものであれば良く、図７（Ａ）、（Ｂ）、（Ｃ）、（Ｄ）に示すような一般的なＯリング、Ｄリング、外周縁の全周に断面が半円形状の凸部が設けられたＤリング、外周縁の例えば十字方向に断面が半円形状の凸部が設けられたＤリングが用いられる。
【００６８】
本発明は、上記実施の形態に限定されず、本発明の特許請求の範囲を逸脱しない範囲で種々の変形を行うことができる。
【００６９】
尚、上述した各実施形態では、第１部材としてパイプ３１０、４１０及び第２部材としてボタン３２０、４２０を備えたボタン装置３００、３００ａ、４００として説明したが、第１部材として例えば胴２０１等の外装部材及び第２部材として例えば胴２０１の内周に挿入されて軸方向に移動するガラス２０３等の外部操作部材を備えたボタン装置としても適用可能である。
【００７０】
本発明における時計の概念としては、例えば水晶発振式の腕時計であり、電池式あるいは手巻発電式、あるいは自動巻発電式、あるいは太陽電池発電式等の形式のものを含むものである。さらに、電子式の腕時計に限らず、機械式の手巻腕時計あるいは自動巻腕時計をも含むものである。また、腕時計に限らず、置き時計や掛け時計等も含むものである。
【００７１】
また、本発明における電子機器の概念としては、外部操作装置を含むものであれば良く、例えば電子卓上計算機、電子手帳、携帯型コンピュータ、携帯電話、ページャー等があり、また他の分野あるいは他の領域のものにも本発明が適用できる。
【００７２】
【発明の効果】
本発明によれば、簡易な構成でクリック感を得ることができ、適用される機器類の小型化や低価格化を図ることができる。
【図面の簡単な説明】
【図１】本発明の外部操作装置を有する時計の第１の実施形態を示す断面側面図。
【図２】図１に示す時計の外部操作装置付近の詳細を示す断面側面図。
【図３】図１に示す時計の外部操作装置の動作例を示す断面側面図。
【図４】本発明の外部操作装置の第２の実施形態を示す断面側面図。
【図５】本発明の外部操作装置の第３の実施形態を示す断面側面図。
【図６】本発明の外部操作装置の各実施形態の主要部の形状例を示す断面側面図。
【図７】本発明の外部操作装置の各実施形態の別の主要部の形状例を示す図。
【図８】従来の外部操作装置を有する時計の一例を示す断面側面図。
【図９】図８に示す外部操作装置に適用されるクリック機構の一例を示す平面図。
【符号の説明】
２００    時計
２０１    胴
２０２    裏ぶた
２０３    ガラス
２０４    ムーブメント
２０５    文字板
２０６    スイッチ
３００    ボタン装置
３１０    パイプ
３１３    クリック溝
３２０    ボタン
３２４    第１パッキン
３２５    圧縮ばね
３２７    第２パッキン
３００ａ  ボタン装置
３１３ａ  クリック溝
４００    ボタン装置
４１０    パイプ
４１４    抜け防止溝
４２０    ボタン
【図１】
0003551726.tif 000002
【図２】
0003551726.tif 000003
【図３】
0003551726.tif 000004
【図４】
0003551726.tif 000005
【図５】
0003551726.tif 000006
【図６】
0003551726.tif 000007
【図７】
0003551726.tif 000008
【図８】
0003551726.tif 000009
【図９】
0003551726.tif 000010